(57)【要約】【課題】  シューズの前足部において、トラクションが不要である領域を明確にすることによって、トラクションの低下やアウトソールのちぎれ等がなく軽量なシューズを提供する。【解決手段】シューズのソール構造体３において、アウトソール５において、着用者の足趾の幅方向には第３趾〜第５趾間、足長方向には末節骨から中足骨の間を囲む領域Ｓに円形状の透孔５１を少なくとも１個以上設ける。透孔５１の直径は１０ｍｍ以上５０ｍｍ以下の範囲にあるのが好ましい。また、透孔５１の周囲にリング状の肉厚部を設けても良い。【選択図】図１
2005137649.tif 000002
【特許請求の範囲】
【請求項１】
シューズのソール構造体において、
アウトソールにおいて、着用者の足趾の幅方向には第３趾〜第５趾間、足長方向には末節骨から中足骨の間を囲む領域に円形状の透孔を少なくとも１個以上設けたことを特徴とするシューズのソール構造体。
【請求項２】
請求項１において、
前記透孔の直径が１０ｍｍ以上５０ｍｍ以下の範囲にあることを特徴とするシューズのソール構造体。
【請求項３】
請求項１ないし２のいずれかにおいて、
前記透孔の周囲にリング状の肉厚部を設けたことを特徴とするシューズのソール構造体。
【請求項４】
請求項１ないし３のいずれかにおいて、
ミッドソールにおいて、前記透孔に囲まれている透孔内露出部の先端面が前記アウトソールの接地面と同一面上にあることを特徴とするシューズのソール構造体。
【発明の詳細な説明】
【技術分野】
【０００１】
本発明は、シューズのソール構造体において、アウトソールの、着用者の足趾の幅方向には第３趾〜第５趾間、足長方向には末節骨から中足骨の間を囲む領域に円形状の透孔を少なくとも１個以上設けたソール構造体に関する。
【背景技術】
【０００２】
従来から、シューズのトラクションと軽量化を同時に実現させるためにさまざまなソール構造が実施されている。
【０００３】
例えば、特開昭６１−１４３００１に開示されるように、靴底において摩耗しやすい個所および滑りやすい踏み付け部周辺に、任意形状の透孔を設け、軟質で防滑性の高いポリウレタンゴム等を注入してなるミッドソール（成型物）と透孔を一体にするという方法が取られていた。
【特許文献１】特開特開昭６１−１４３００１号公報
【発明の開示】
【発明が解決しようとする課題】
【０００４】
しかしこの場合には、トラクションが不要な箇所にもアウトソール（靴底主体）やミッドソール（成型物）が配置されており、トラクションは得られるもののソール構造体全体が重くなるという問題があった。
【０００５】
また、シューズの軽量化を考えた場合、前足部は各種動作においてグリップ性が要求される部位であり、前足部には必ずトラクションが必要であると考えられていたため、前足部での軽量化はあまり考慮されていなかった。
【０００６】
本発明は、前記従来の問題を解決するため、シューズのトラクションと、軽量化を同時に実現するソール構造体を提供することを目的とする。
【課題を解決するための手段】
【０００７】
前記目的を達成するため、請求項１に記載の発明は、シューズのソール構造体において、アウトソールにおいて、着用者の足趾の幅方向には第３趾〜第５趾間、足長方向には末節骨から中足骨の間を囲む領域に円形状の透孔を少なくとも１個以上設けたことを特徴とするシューズのソール構造体に関するものである。
【０００８】
また、請求項２に記載の発明は、前記透孔の直径が１０ｍｍ以上５０ｍｍ以下の範囲にあることを特徴とするシューズのソール構造体に関するものである。
【０００９】
また、請求項３に記載の発明は、前記透孔の周囲にリング状の肉厚部を設けたことを特徴とするシューズのソール構造体に関するものである。
【００１０】
また、請求項４に記載の発明は、ミッドソールにおいて、前記透孔に囲まれている透孔内露出部の先端面が前記アウトソールの接地面と同一面上にあることを特徴とするシューズのソール構造体に関するものである。
【発明の効果】
【００１１】
本発明は、シューズ前足部におけるトラクションとソール構造体全体の軽量化を同時に実現するという効果を奏する。
【発明を実施するための最良の形態】
【００１２】
以下、本発明の実施態様を添付図面に基づいて説明する。
【００１３】
図１は本発明の一実施態様によるソール構造体３の底面図である。
図２は本発明の一実施態様によるソール構造体３の透孔５１のみを記した模式図と足の骨格図とを重ね合わせたものである。なお、図中の斜線で示す領域Ｓは足趾の幅方向には第３趾〜第５趾間、足長方向には末節骨から中足骨の間を囲む領域（以下領域Ｓと記す）である。
図２に示すように、本発明は、ソール構造体３において、アウトソール５の、領域Ｓに円形状の透孔５１を少なくとも１個以上設けた構造をもつものである。
【００１４】
図３は、テニスにおけるストローク動作時に左足に加わる足圧の分布図と足の骨格図を重ね合わせたものである。
また、同じく図４は、テニスにおけるボレー時の左足に加わる足圧の分布図と足の骨格図を重ね合わせたものである。
【００１５】
図３および図４に示されるように、領域Ｓは、ストローク動作においても、またボレー動作においても足圧が比較的小さい部位である。
また、図示はしないが、テニスのサーブ動作やテニス以外の歩行動作、走行動作においても、また左足においても右足においても、領域Ｓは足に加わる足圧が比較的小さい部位である。
また、図示はしないが、アウトソール５には前後左右さまざまな方向へのせん断力が加わるが、図３および図４に示されるように、領域Ｓに加わる足圧が比較的小さいので、領域Ｓにはせん断力に対抗するための意匠等は必要ないことが分かる。
【００１６】
従って、領域Ｓに透孔５１を設けることによって、前足部７１において必要なトラクション性能を犠牲にすることなく、ソール構造体３を軽量化することが出来る。
【００１７】
透孔５１の直径は１０ｍｍ以上５０ｍｍ以下が好ましい。
透孔５１の直径が１０ｍｍ以下の場合、効果的にソール構造体重量を減らすことが出来ない。
また、着用者の足長が２２．０ｃｍ〜２９．０ｃｍの範囲にあるシューズを想定すると、２９．０ｃｍのシューズにおいては第３趾６１〜第５趾６３間の幅は約５０ｍｍである。従って、５０ｍｍ以上であると、一番大きいサイズである２９．０ｃｍのシューズにおいても、トラクションが不要な部位以外すなわちトラクションが必要な部位に透孔５１を設けることになってしまい、トラクションが得られない。
【００１８】
透孔５１の個数は１個以上であれば良い。
領域Ｓ内に１０ｍｍ以上５０ｍｍ以下の透孔を適宜配置すれば良く、透孔の個数が多く、また透孔の直径が大きいほど、ソール構造体は軽量となる。一方、透孔の個数が少なく、また透孔の直径が小さいほど、トラクションが良くなる。また、図示はしないが、全体的なバランスやデザイン等を考慮して、様々な大きさの透孔を複数個配置しても良い。
図１に示す実施例の場合では、直径１５ｍｍの透孔を４個設けることによって、２６．０ｃｍのソール構造体で約５ｇの軽量化を実現する事が出来る。なお、現状軽量化については限界まで来たかであろうシューズの重量を、５ｇ削減することは非常に画期的なことである。
【００１９】
アウトソール５の材料としては、粘弾性を有する材料であればよく、具体的にはＳＢＲやＮＢＲ等のラバーやその混合物や発泡体、軟質ポリウレタンエラストマーやその発泡体等その他同効質のものが考えられる。
また、ミッドソール４の材料としては、ソール構造体３の軽量化とクッション性と言う点で、衝撃吸収性や反発性に優れた低比重の材料が好ましい。具体的には、ＥＶＡ樹脂の発泡体や軟質ポリウレタンエラストマーの発泡体等その他同効質のものが考えられる。
【００２０】
ちぎれを効果的に防止すると言う点で、透孔５１の形状は真円であることが好ましいが、生産において、粘弾性材料で真円形状に構成するのが難しい場合は、多少変形した円形状でも構わない。
【００２１】
また、図１に示すように、透孔５１に沿って、アウトソール５にリング状肉厚部５３を設けると良い。
リング状肉厚部５３を設けることによって、透孔５１周辺の意匠がちぎれにくくなる。
リング状肉厚部５３の幅は、１．５ｍｍ以上３ｍｍ以下が好ましい。
１．５ｍｍ未満の場合、リング状肉厚部５３がちぎれるという不具合が発生する。また、３ｍｍより大きい場合、ソール構造体３が重くなるという不具合が発生する。
【００２２】
図５は本発明の第二の実施態様によるソール構造体３の底面図の一部である。また、図６は図５のＡ−Ａ部分の断面図である。
図６に示すように、透孔５１周辺にリング状肉厚部５３を設けなくても良い。この場合、更にソール構造体３を軽量化することが出来る。
【００２３】
図７は本発明の第三の実施態様におけるソール構造体の図１に示されるＡ―Ａ部分の断面図である。
ミッドソール４の材料としてアウトソール５の材料より比重が小さくクッション性がある材料を用いた場合、図７に示すように、透孔５１に囲まれる部分であるミッドソール４の透孔内露出部４１の先端面４４をミッドソールベース面４２より突出させて、アウトソール５のアウトソール接地面５２と同一面をなすようにするのが好ましい。この場合、着用した際に、ソール構造体３が接地した時に、アウトソール接地面５２と同時に先端面４４が同時に接地することにより、軽量化を維持しつつクッション性が得られる。
【００２４】
図８は本発明の第四の実施態様におけるソール構造体の図１に示されるＡ―Ａ部分の断面図である。
図８に示すように、透孔内露出部４１を、ミッドソールベース面４２から突出させて、先端面４４がミッドソールベース面４２とアウトソール接地面５２の間に位置するようにしても良い。
この場合、クッション性が向上する。
【００２５】
図９は本発明の第五の実施態様におけるソール構造体の図１に示されるＡ―Ａ部分の断面図である。
図９に示すように、透孔内露出部４１を、ミッドソールベース面４２と同一面をなすようにしても良い。
この場合、更にソール構造体３を軽量化することが出来る。
【産業上の利用可能性】
【００２６】
本発明の活用例としては、テニス、バスケット、卓球等の競技用のスポーツ用シューズは元より、ウォーキングや紳士シューズ、婦人靴等の歩行のみを目的としたシューズでの使用においても好適である。
【図面の簡単な説明】
【００２７】
【図１】本発明の一実施態様によるソール構造体３の底面図である。
【図２】本発明の一実施態様によるソール構造体３の透孔５１のみを記した模式図と足の骨格図とを重ね合わせたものである。
【図３】テニスにおけるストローク動作時に左足に加わる足圧の分布図と足の骨格図を重ね合わせたものである。
【図４】テニスにおけるボレー時の左足に加わる足圧の分布図と足の骨格図を重ね合わせたものである。
【図５】本発明の第二の実施態様によるソール構造体３の底面図の一部である。
【図６】図５のＡ−Ａ部分の断面図である。
【図７】本発明の第三の実施態様におけるソール構造体の図１に示されるＡ―Ａ部分の断面図である。
【図８】本発明の第四の実施態様におけるソール構造体の図１に示されるＡ―Ａ部分の断面図である。
【図９】本発明の第五の実施態様におけるソール構造体の図１に示されるＡ―Ａ部分の断面図である。
【符号の説明】
【００２８】
３：ソール構造体
４：ミッドソール
４１:透孔内露出部
４２：ミッドソールベース面
４３：先端位置
４４：先端面
５：アウトソール
５１：透孔
５２：アウトソール接地面
５３：リング状肉厚部
６１：第３趾
６２：第４趾
６３：第５趾
６４：末節骨
６５：中足骨
Ｆ：前足部
Ｓ：着用者の足趾の幅方向には第３趾〜第５趾間、足長方向には末節骨から中足骨の間を囲む領域（領域Ｓ）
【図１】
2005137649.tif 000003
【図２】
2005137649.tif 000004
【図３】
2005137649.tif 000005
【図４】
2005137649.tif 000006
【図５】
2005137649.tif 000007
【図６】
2005137649.tif 000008
【図７】
2005137649.tif 000009
【図８】
2005137649.tif 000010
【図９】
2005137649.tif 000011